(57)【要約】モバイルデバイスにおける実行時期を調整したハンドオーバを開示する。本発明は、ターゲット・セルと在圏セル間の時間差を決定し、時間差に基づいてターゲット伝播遅延を決定することで、実行時期を調整したハンドオーバを達成する。いくつかの実施形態では、ターゲット伝播遅延を、在圏セルとモバイルデバイス間の在圏伝播遅延に基づいて決定してもよい。ターゲット伝播遅延に基づいて、ターゲット送信時間を計算する。モバイルデバイスは、ハンドオーバの間、ターゲット・セルへ送信する時期を調整するためにターゲット送信時間を使用する。【選択図】なし
2010531573.tif 000002
【特許請求の範囲】
【請求項１】
無線通信ネットワークの在圏セルとターゲット・セル間において実行時期を調整してモバイルデバイスのハンドオーバを実行する方法であって、
前記在圏セルと前記ターゲット・セル間における時間差を決定するステップと、
前記決定した時間差に基づいて、前記モバイルデバイスと前記ターゲット・セル間におけるターゲット伝播遅延を決定するステップと、
前記ターゲット伝播遅延に基づいてターゲット送信時間を計算するステップと
を有することを特徴とする方法。
【請求項２】
前記在圏セル内の在圏アクセス・ポイントが、前記ターゲット送信時間を計算することを特徴とする請求項１に記載の方法。
【請求項３】
前記時間差を決定するステップは、前記在圏アクセス・ポイントが前記モバイルデバイスから前記時間差を受信するステップを有することを特徴とする請求項２に記載の方法。
【請求項４】
ハンドオーバの実行時期を調整するために使用すべく前記モバイルデバイスに前記ターゲット送信時間を送信するステップをさらに有することを特徴とする請求項２に記載の方法。
【請求項５】
前記モバイルデバイスが、前記ターゲット送信時間を計算することを特徴とする請求項１に記載の方法。
【請求項６】
前記ターゲット伝播遅延を決定するステップは、
前記モバイルデバイスと前記在圏セル間における在圏伝播遅延を在圏アクセス・ポイントから受信するステップと、
前記受信した在圏伝播遅延と前記決定した時間差に基づいて前記ターゲット伝播遅延を決定するステップを有することを特徴とする請求項５に記載の方法。
【請求項７】
前記モバイルデバイスにおいて前記在圏セルと前記ターゲット・セルのフレーム・タイミング情報を受信するステップをさらに有することを特徴とする請求項５に記載の方法。
【請求項８】
前記ターゲット送信時間を計算するステップは、前記モバイルデバイスで前記ターゲット伝播遅延と、前記受信したフレーム・タイミング情報と、前記モバイルデバイスと前記在圏セル間における在圏伝播遅延とに基づいて前記ターゲット送信時間を計算するステップを有することを特徴とする請求項７に記載の方法。
【請求項９】
前記時間差を計算するステップは、
前記モバイルデバイスで前記在圏セルから受信した第１の信号に対応する第１の受信時間を計測するステップと、
前記モバイルデバイスで前記ターゲット・セルから受信した第２の信号に対応する第２の受信時間を計測するステップと、
前記モバイルデバイスで前記第１と第２の受信時間に基づいて前記ターゲット・セルと前記在圏セル間における前記時間差を決定するステップと
を有することを特徴とする請求項５に記載の方法。
【請求項１０】
前記モバイルデバイスで前記モバイルデバイスと前記在圏セル間における在圏伝播遅延を決定するステップを有し、
前記ターゲット伝播遅延を決定するステップは、前記モバイルデバイスで前記時間差と前記在圏伝播遅延に基づいて前記ターゲット伝播遅延を決定するステップを有することを特徴とする請求項９に記載の方法。
【請求項１１】
前記ターゲット伝播遅延を決定するステップは、前記モバイルデバイスと前記在圏セル間における在圏伝播遅延と前記時間差に基づいて前記ターゲット伝播遅延を計算するステップを有することを特徴とする請求項１に記載の方法。
【請求項１２】
前記ターゲット伝播遅延を決定するステップは、δτｔ  ＝  δτｓ  ―  Δμに従って前記ターゲット伝播遅延を計算するステップを有し、
δτｔは、前記モバイルデバイスと前記ターゲット・セル間における前記ターゲット伝播遅延を表し、δτｓは、前記モバイルデバイスと前記在圏セル間における前記在圏伝播遅延を表し、Δμは、前記時間差を表すことを特徴とする請求項１１に記載の方法。
【請求項１３】
前記ターゲット伝播遅延を決定するステップは、前記時間差と、前記モバイルデバイス及び前記在圏セル間における前記在圏伝播遅延と、前記在圏セル及び前記ターゲット・セルのそれぞれに対応する絶対的な送信時間とに基づいて前記ターゲット伝播遅延を計算するステップを有することを特徴とする請求項１に記載の方法。
【請求項１４】
前記ターゲット伝播遅延を決定する方法は、δτｔ  ＝  Γｓ  ＋  δτｓ  ―Γｔ  ―  Δμに従って前記ターゲット伝播遅延を計算するステップを有し、
δτｔは、前記モバイルデバイスと前記ターゲット・セル間における前記ターゲット伝播遅延を表し、δτｓは、前記モバイルデバイスと前記在圏セル間における前記在圏伝播遅延を表し、Δμは、前記時間差を表し、Γｓは、前記在圏セルに対応する前記絶対的な送信時間を表し、Γｔは、前記ターゲット・セルに対応する前記絶対的な送信時間を表すことを特徴とする請求項１３に記載の方法。
【請求項１５】
無線通信ネットワークの在圏セルとターゲット・セル間において実行時期を調整してモバイルデバイスのハンドオーバを実行するプロセッサであって、
前記在圏セルと前記ターゲット・セル間における時間差を決定し、
前記決定した時間差に基づいて前記モバイルデバイスと前記ターゲット・セル間におけるターゲット伝播遅延を決定し、
前記ターゲット伝播遅延に基づいてターゲット送信時間を計算することを特徴とするプロセッサ。
【請求項１６】
前記在圏セル内の在圏アクセス・ポイントに備えられていることを特徴とする請求項１５に記載のプロセッサ。
【請求項１７】
前記在圏アクセス・ポイントで前記モバイルデバイスから前記時間差を受信することで決定することを特徴とする請求項１６に記載のプロセッサ。
【請求項１８】
ハンドオーバの実行時期を調整するために使用すべく前記モバイルデバイスに前記ターゲット送信時間を送信することをさらに特徴とする請求項１６に記載のプロセッサ。
【請求項１９】
前記モバイルデバイスに備えられていることを特徴とする請求項１５に記載のプロセッサ。
【請求項２０】
前記モバイルデバイスと前記在圏セル間における在圏伝播遅延を在圏アクセス・ポイントから受信し、
前記受信した在圏伝播遅延と前記決定した時間差に基づいて前記ターゲット伝播遅延を決定することを特徴とする請求項１９に記載のプロセッサ。
【請求項２１】
前記在圏セルと前記ターゲット・セルのフレーム・タイミング情報を受信することをさらに特徴とする請求項１９に記載のプロセッサ。
【請求項２２】
前記ターゲット伝播遅延と、前記受信したフレーム・タイミング情報と、前記モバイルデバイスと前記在圏セル間における在圏伝播遅延とに基づいて前記ターゲット送信時間を計算することを特徴とする請求項２１に記載のプロセッサ。
【請求項２３】
前記在圏セルから受信した第１の信号に対応する第１の受信時間を計測し、
前記ターゲット・セルから受信した第２の信号に対応する第２の受信時間を計測し、
前記第１と第２の受信時間に基づいて前記ターゲット・セルと在圏セル間における前記時間差を決定することを特徴とする請求項１９に記載のプロセッサ。
【請求項２４】
前記モバイルデバイスと前記在圏セル間における在圏伝播遅延を決定し、
前記時間差と前記在圏伝播遅延に基づいて前記ターゲット伝播遅延を決定することを特徴とする請求項２３に記載のプロセッサ。
【請求項２５】
前記モバイルデバイスと前記在圏セル間における在圏伝播遅延と前記時間差に基づいて前記ターゲット伝播遅延を計算することを特徴とする請求項１５に記載のプロセッサ。
【請求項２６】
前記在圏セル及び前記ターゲット・セルのそれぞれに対応する絶対的な送信時間と前記時間差と在圏伝播遅延とに基づいて前記ターゲット伝播遅延を計算することを特徴とする請求項１５に記載のプロセッサ。
【発明の詳細な説明】
【技術分野】
【０００１】
本発明は、一般に、無線通信ネットワークにおける在圏セルからターゲット・セルへのモバイルデバイスのハンドオーバに関し、特に、モバイルデバイス（移動機）において時間を調整してハンドオーバを実行する方法に関する。
【背景技術】
【０００２】
基地局のフレーム・タイミングに対応する受信ウインドウの間に、基地局またはアクセス・ポイントでモバイルデバイスが送信した無線信号を受信することは、重要である。受信ウインドウの幅を適切に調整しなければ、無線装置から送信された信号は、隣接したタイム・フレーム、サブ・フレーム、または、タイム・スロットの信号と干渉しうる。さらに、ハンドオーバを実行する時期の調整（タイムアライメント）が不適切であると、基地局の受信ウインドウを外れたときに受信される信号が生ずるかもしれない。基地局においてモバイルデバイスから所望の信号を受信するためには、より長い受信ウインドウを採用せねばならないだろう。長い受信ウインドウは、より多くのハードウエアと処理能力を要求するので、基地局の受信機をより複雑にする。モバイルデバイスは移動するので、基地局とモバイルデバイスの距離は変化する。そのため、基地局とモバイルデバイスの間の伝播遅延は変化する。ゆえに、基地局において正しい受信ウインドウでモバイルデバイスから送信された信号を受信することを保証するために、ネットワークは、恒常的にモバイルデバイスの伝播遅延を監視してもよく、モバイルデバイスの伝播遅延に対応する適切なタイム・オフセットまたは送信時間を通知してもよい。基地局において所望の時間に送信された信号を受信するために、モバイルデバイスは受信したオフセットまたは送信時間を使用している。
【０００３】
在圏セルからターゲット・セルへモバイルデバイスがハンドオーバを実行するとき、モバイルデバイスは、モバイルデバイスからターゲット・セル及び在圏セルまでの間における伝播遅延の差を補償するために、送信タイミングを調整する必要がある。タイミングの調整を失敗すると、干渉を引き起こしたり、同期及びハンドオーバを長引かせたり等するかもしれない。例えば、ＬＴＥネットワークでのハンドオーバの間、モバイルデバイスは、ターゲットの基地局に接続するために、ランダム・アクセス手順を使用して基地局との物理層での同期を確立する。ハンドオーバ中に、ターゲット基地局のフレーム・タイミングと合っていない送信時間でモバイルデバイスがターゲット基地局にアクセスする場合、ターゲットの基地局が受信したハンドオーバ信号は、隣接するスロットもしくはフレームと干渉したり、再送信のためにランダム・アクセス・チャンネル（ＲＡＣＨ）に高い負荷を引き起こしたり、長い同期時間のためにより長いハンドオーバの中断を引き起こしたり等するかもしれない。モバイルデバイスは初期の接続にＲＡＣＨを使用するが、ハンドオーバ時における過度のＲＡＣＨの再送信は、ＲＡＣＨにおける負荷や競合を増加させうる。したがって、高負荷時に送信のタイミングを調整しない場合、ＲＡＣＨ送信が不安定になりうる危険性がある。
【発明の概要】
【発明が解決しようとする課題】
【０００４】
モバイルデバイスの送信タイミングと所望のターゲット・セルのフレーム・タイミングを同期するための一つの可能な解決策は、ハンドオーバを実行している間に、伝播に関連したオフセットを決定し、モバイルデバイスの送信時間に加算することである。例えば、ターゲットの基地局は、モバイルデバイスに関連したアップリンクの伝播遅延を計算してもよく、これに対応したオフセットをモバイルデバイスに通知してもよい。受信したオフセットに基づいて、モバイルデバイスは、次の送信時間を調整する（例えば、時間を進める）。しかし、この方法にしたがうと、特に大きなセルでアップリンクの同期が遅延しうる。ＬＴＥネットワークにけるハンドオーバ・アクセスはＲＡＣＨであるが、モバイルデバイスからターゲット基地局へのＲＡＣＨによる初期の送信は、ターゲット基地局に関する伝播遅延を補償しておらず、ＲＡＣＨに高負荷が生じうり、最終的にハンドオーバの中断時間が長くなってしまう。
【０００５】
他の可能な解決策は、ハンドオーバを実行する以前に、基地局で伝播に関するオフセットを予測することである。この場合、ターゲット基地局はハンドオーバを実行する前にモバイルデバイスに参照信号を送信し、モバイルデバイスは応答を送信する。その応答に基づいて、ターゲット基地局は、伝播遅延を計算し、オフセットに対応して在圏基地局と通信する。在圏基地局は、例えば、ハンドオーバ・コマンドを介して、ハンドオーバが始まる前に、モバイルデバイスにオフセットを順々に通知する。この解決策の有利な点は、ハンドオーバを実行するときに、モバイルデバイスがターゲット基地局に関する適切なタイミングを知っているということである。しかし、この解決策は、ハンドオーバを実行する前にターゲット基地局でいくつかのタイミングを試算する必要がある。さらに、オフセットのシグナリングは、望ましくないことに、在圏基地局とターゲット基地局との間における転送ネットワーク上のシグナリングを圧迫する。
【０００６】
したがって、ハンドオーバを実行するときに、モバイルデバイスとターゲット基地局間の信号の送信を調整する他の方法が、依然として必要である。
【課題を解決するための手段】
【０００７】
本発明は、在圏セルとターゲット・セルの間の時間差に基づいて決定するターゲット伝播遅延を使用し、時間を調整してモバイルデバイスのハンドオーバを実行している。特に、モバイルデバイスとターゲット・セル間におけるターゲット伝播遅延を、時間差に基づいて決定している。その後、ターゲット送信時間を、ターゲット伝播遅延に基づいて計算している。ターゲット送信時間は、時間の進行度合いのような相対的なターゲット送信時間であってもよく、絶対的なターゲット送信時間であってもよい。どちらの場合でも、モバイルデバイスは、ターゲット・セル内でターゲット送信時間に基づいて、ターゲット・アクセス・ポイントに対して送信する信号のタイミングを制御している。言い換えれば、相対的な、または、絶対的なターゲット送信時間は、モバイルデバイスがターゲット・アクセス・ポイントに送信する時間を定義している送信時間を表している。
【０００８】
一つの実施形態に従うと、在圏セル内にある在圏アクセス・ポイントは、モバイルデバイスから提供された時間差に基づいて決定されるターゲット伝播遅延を使用して、ターゲット送信時間を計算する。在圏アクセス・ポイントは、時間を調整してハンドオーバを実行するモバイルデバイスで使用するために、モバイルデバイスに計算したターゲット送信時間を送信する。
【０００９】
他の実施形態に従うと、モバイルデバイスは、ターゲット送信時間を計算する。例えば、モバイルデバイスは、在圏セル及びターゲット・セルから受信したそれぞれの信号に対応する第１と第２の受信時間を計測し、第１と第２の受信時間に基づいて時間差を計算してもよい。計算した時間差と在圏アクセス・ポイントからモバイルデバイスに提供される在圏伝播遅延を使用して、モバイルデバイスは、ターゲット送信時間を計算するために使用するターゲット伝播遅延を決定してもよい。さらに、モバイルデバイスは、自律的にターゲット送信時間を決定してもよい。
【００１０】
どちらの場合でも、本発明は、隣接したスロットまたはフレームとの干渉を削減したり、ＲＡＣＨにおける負荷または競合を削減したり、物理層の同期に必要な時間を削減することでハンドオーバに必要な時間を削減したり等するよう、実行時期を調整したハンドオーバを提供する。さらに、本発明は、在圏ＡＰとターゲット・ＡＰ間のシグナリングを削減する。
【図面の簡単な説明】
【００１１】
【図１】図１は、本発明に従った無線ネットワークの例を表す図である。
【図２】図２は、本発明に従った時間調整したハンドオーバ処理の例を表す図である。
【図３】図３は、本発明に従った時間調整したハンドオーバ処理の他の例を表す図である。
【発明を実施するための形態】
【００１２】
図１は、モバイル・アシステッド・ハンドオーバを実装している例示的な無線通信ネットワーク１０を示している。一般に、ＷＣＤＭＡ及びＬＴＥネットワークに、図示しているネットワーク１０を適用するが、これらに限定するものではない。ネットワーク１０は、複数のセル１２を含む。そして、どのセル１２も、１つ以上の基地局、または、アクセス・ポイント（ＡＰ）１４を備えている。在圏セル１２ａ内にある在圏ＡＰ１４ａがサービスを提供しているモバイルデバイス１６は、隣接しているセル１２ｂ内のＡＰ１４ｂの方向に向かって移動するかもしれない。本明細書では、セル１２ｂとＡＰ１４ｂを、それぞれ、ターゲット・セル１２ｂとターゲットＡＰ１４ｂと記載する。在圏セル１２ａ内でデータを送信している間に、モバイルデバイス１６は、在圏ＡＰ１４ａとターゲットＡＰ１４ｂから受信した信号の強度を計測する。計測した信号の強度に基づいて、ネットワーク１０またはモバイルデバイス１６等は、モバイルデバイス１６がターゲット・セル１２ｂ内のターゲットＡＰ１４ｂへのハンドオーバ制御をする時期を決定し、それに従ってハンドオーバを開始する。
【００１３】
ハンドオーバを実行している間にモバイルデバイス１６により送信された無線信号を、ターゲットＡＰ１４ｂが予め決められた受信ウインドウの間に受信することは重要である。受信ウインドウを適切に調整しないと、送信した信号は隣接する時間フレーム、サブ・フレーム、または、タイム・スロットの信号と干渉するかもしれない。さらに、受信ウインドウを外れたときに信号を受信した場合、ターゲットＡＰ１４は信号をサーチ（探索）するために長い受信ウインドウを採用せざるを得ないかもしれない。長い受信ウインドウは、より多くのハードウエアと処理能力を必要とし、それゆえに、ＡＰ１４の受信機をより複雑にする。さらに、時期の調整が不適切であると、ハンドオーバ処理が長時間に及ぶかもしれない。本発明は、ハンドオーバを実行する時期を調整するために、ターゲット・セル１２ｂのフレーム・タイミングとともにモバイルデバイスが信号を送信する時期を調整する。つまり、モバイルデバイス１６または在圏ＡＰ１４ａは、ハンドオーバを実行する以前に、モバイルデバイス１６とターゲット・セル１２ｂ間におけるターゲット伝播遅延を決定し、決定したターゲット伝播遅延に基づいてハンドオーバを実行する時期を調整する。
【００１４】
図２は、モバイルデバイス１６とターゲット・セル１２ｂ内のターゲットＡＰ１４ｂの間におけるハンドオーバを実行する時期を調整するためのプロセス１００の一例を示している。時間差（Δμ）を、在圏セル１２ａとターゲット・セル１２ｂとの間で決定する（ブロック１１０）。時間差Δμは、モバイルデバイス１６とターゲットＡＰ１４ｂの間の距離と、モバイルデバイス１６と在圏ＡＰ１４ａの間の距離との差に起因して生じる伝播時間の差を表している。時間差Δμに基づいて、ターゲット伝播遅延（δτｔ）を決定する（ブロック１２０）。ターゲット伝播遅延δτｔは、信号をモバイルデバイス１６から送信した時点からターゲットＡＰ１４ｂで受信した時点における伝播時間の遅延を表している。その後、相対的なまたは絶対的なターゲット送信時間のどちらも、ターゲット伝播遅延δτｔに基づいて計算する（ブロック１３０）。例えば、相対的なターゲット送信時間は、ターゲット伝播遅延δτｔに対応する送信時間のある時点からの進行度合いであってもよい。絶対的なターゲット送信時間は、ターゲット伝播遅延δτｔ及びターゲット・セル１２ｂに対応する他のフレーム・タイミング・パラメータに基づいて計算したモバイルデバイス１６についてのターゲット送信時間であってもよい。モバイルデバイス１６は、ハンドオーバを実行している間のターゲット・セルのフレーム・タイミングとともに信号を送信する時期を調整するために、計算したターゲット送信時間を使用する。
【００１５】
在圏セル１２ａとターゲット・セル１２ｂのフレーム・タイミングが同期していないとき、ターゲット伝播遅延δτｔを式（１）にしたがって決定してもよい。
δτｔ  ＝  Γｓ  ＋  δτｓ  ―Γｔ  ―  Δμ      （１）
ここで、δτｓはモバイルデバイス１６と在圏セル１２ａとの間における在圏伝播遅延を表しており、Γｓは在圏セル１２ａの絶対的なフレーム・タイミングを表しており、Γｔはターゲット・セル１２ｂの絶対的なフレーム・タイミングを表している。在圏セル１２ａとターゲット・セル１２ｂのフレーム・タイミングが同期しているとき、Γｓ  ＝  Γｔであり、式（１）は式（２）のように省略しうる。
δτｔ  ＝  δτｓ  ―  Δμ      （２）
【００１６】
一つの実施形態に従うと、在圏ＡＰ１４ａ内のプロセッサ１８は、図２に示しているプロセス１００を実行する。この実施形態で、プロセッサ１８は、モバイルデバイス１６から時間差Δμを受信することで時間差Δμを決定する。他の実施形態で、プロセッサ１８は、既知である在圏ＡＰ１４ａとターゲット・ＡＰ１４ｂの位置に基づいて時間差Δμを計算してもよく、ネットワーク制御部（不図示）から時間差Δμを受信してもよい。モバイルデバイス１６から時間差Δμを受信すると、モバイルデバイス１６のプロセッサ１８は、在圏セル１２ａから受信する信号（例えば、ＣＰＩＣＨ：シグナル・オン・コモン・パイロット・インディケーション・チャンネル、または、ＵＴＲＡＮシステムのＰ−ＣＣＰＣＨ：フィジカル・コモン・コントロール・フィジカル・チャンネル上の信号）についての在圏の受信時間を計測し、ターゲット・セル１２ｂから受信する信号（例えば、ＣＰＩＣＨ、または、ＵＴＲＡＮシステムのＰ−ＣＣＰＣＨ上の信号）についてのターゲット・セルの受信時間を計測する。モバイルデバイス１６のプロセッサ１８は、在圏の受信時間とターゲットの受信時間との差分に基づいて時間差Δμを決定し、在圏ＡＰ１４ａに時間差Δμを報告する。プロセッサ１８は、式（１）と式（２）で必要な在圏伝播遅延δτｓを、モバイルデバイス１６との以前の通信に基づいて、すでに知っていることは理解していただけるだろう。さらに、プロセッサ１８はΓｓとΓｔをすでに知っていてもよく、ΓｔをターゲットＡＰまたはネットワーク制御部（不図示）からすでに取得していてもよいことも理解していただけるだろう。したがって、プロセッサ１８は、式（１）または式（２）に従い、ターゲット伝播遅延δτｔを計算しうり、ターゲット伝播遅延δτｔに基づいてターゲット送信時間を計算しうる。プロセッサ１８は、モバイルデバイス１６に計算したターゲット送信時間をいくつかの知られた手段を使用して送信する。例えば、プロセッサ１８は、モバイルデバイス１６にハンドオーバ・コマンドの一部としてターゲット送信時間を送信してもよい。
【００１７】
他の実施形態に従うと、モバイルデバイス１６のプロセッサ１８は、図３に示しているように、プロセス１００を自律的に実行する。この実施形態のために、プロセッサ１８は、在圏セル１２ａとターゲット・セル１２ｂから受信する信号に関する受信時間の計測に基づいて時間差Δμを決定する（ブロック１１０）。特に、プロセッサ１８は、在圏セル１２ａから受信する信号（例えば、ＣＰＩＣＨ、または、ＵＴＲＡＮシステムのＰ−ＣＣＰＣＨ上の信号）についての在圏の受信時間を計測し、ターゲット・セル１２ｂから受信する信号（例えば、ＣＰＩＣＨ、または、ＵＴＲＡＮシステムのＰ−ＣＣＰＣＨ上の信号）についてのターゲットの受信時間を計測する（ブロック１１２）。プロセッサ１８は、在圏の受信時間とターゲットの受信時間との差分に基づいて時間差Δμを決定する（ブロック１１４）。モバイルデバイス１６で時間差を決定するために使用する信号は、ハンドオーバを実行することを要求する時期を決定するために使用するものと同じ信号であってもよいことは明らかである。
【００１８】
モバイルデバイス１６のプロセッサ１８は、最初に在圏伝播遅延δτｓを決定する（ブロック１２２）ことにより、ターゲット伝播遅延δτｔを決定する（ブロック１２０）。例えば、プロセッサ１８は、モバイルデバイス１６から送信された信号のエコーに相当するラウンド・トリップ（往復）遅延を計測してもよく、ラウンド・トリップ遅延に基づいて在圏伝播遅延δτｓを決定してもよい。プロセッサ１８は、ターゲット伝播遅延δτｔを決定する（ブロック１２４）ために、プロセッサ１８が自律的に決定した在圏伝播遅延δτｓと時間差Δμを使用する。その後、ターゲット伝播遅延δτｔを、ターゲット送信時間を決定するために使用する（ブロック１３０）。モバイルデバイスは、ハンドオーバを実行している間に信号をターゲットＡＰ１４ｂに送信する時間を制御するために、計算したターゲット送信時間を使用する。モバイルデバイス１６からの信号を受信するアップリンクとモバイルデバイス１６へ信号を送信するダウンリンクとのタイミング関係が固定されている在圏セル１２ａが提供されると、自律的にターゲット送信時間を決定するモバイル装置１６のプロセスを実現できる。
【００１９】
他の実施形態において、モバイルデバイス１６のプロセッサ１８は、在圏セル１２ａにより提供される情報も使用してプロセス１００を実行してもよい。例えば、図３のブロック１１２とブロック１１４に示しているように、プロセッサ１８は、在圏セル１２ａとターゲット・セル１２ｂから受信した信号に関する受信時間の計測に基づいて時間差Δμ（ブロック１１０）を決定してもよい。在圏ＡＰ１４ａから在圏伝播遅延δτｓを受信した後、プロセッサ１８は、受信した在圏伝播遅延δτｓと計算した時間差Δμ（ブロック１２０）に基づいて、ターゲット伝播遅延δτｔを決定してもよい。ターゲット伝播遅延δτｔを決定するために式（１）を使用する場合、プロセッサ１８はさらに、在圏セル１２ａから在圏セルに対応する絶対的な送信時間とターゲット・セルに対応する絶対的な送信時間（それぞれ、ΓｓとΓｔ）を受信してもよい。
【００２０】
本発明は、当業者の解決策よりも有利な点をいくつか提供している。第１に、すでに存在していてそれゆえに直ちに利用可能であるタイミングの計測に基づいてターゲット送信時間を計算していることである。例えば、時間差Δμの決定に使用されうる信号強度計測に相当する受信時間と在圏ＡＰ１４ａによりすでに知られている在圏伝播遅延の計測に基づいて計算している。第２に、本発明は、いくつかのタイミング計測を実行することおいて、ターゲットＡＰ１４ｂの必要性を解消し、それゆえに、在圏ＡＰ１４ａ及びターゲットＡＰ１４ｂ間の伝送ネットワークにおけるシグナリングを削減している。さらに、本発明は、隣接するスロット、サブ・フレーム、または、フレーム間の干渉を削減する正確なタイミングでの、ターゲット・セル１２ｂへのハンドオーバをモバイルデバイス１６が実行することを可能にしている。正確なタイミングでハンドオーバを実行することはさらに、物理層の同期に必要な時間を削減し、その結果として、ハンドオーバの実行に要求される時間を削減している。さらに、正確なタイミングでハンドオーバを実行することは、ハンドオーバを実行するためにＬＴＥネットワークにおいて使用されるランダム・アクセス・チャンネルにおける競合を削減する。さらに、本発明は、ターゲットＡＰ１４ｂの受信時間を削減し、それゆえに、ターゲットＡＰ１４ｂの備える受信機の複雑さとコストを削減する。
【００２１】
言うまでも無く、本発明の基本的な特徴から離れることなく、上記で具体的に説明した実施形態と異なる方法で本発明を実行してもよい。本発明の実施形態は、すべての面で例示的なものであり、それに限定されるものではない。そして、手段や装置に関する特許請求の範囲に従うすべての変形は、ここに内包される。
【図１】
2010531573.tif 000003
【図２】
2010531573.tif 000004
【図３】
2010531573.tif 000005
【国際調査報告】
2010531573.tif 000006
2010531573.tif 000007
2010531573.tif 000008